(57)【要約】【課題】  従来の足底板の、保存療法にあってはその治療効果、装具矯正療法にあってはその矯正効果、等々は、基本的に足底板に体重を掛けた状態でしか期待できないもの、即ち、遊脚時は本来の機能を全く発揮しないものであった。【解決手段】  中敷きタイプのシリコーンラバー製足底板であって、周囲に厚み部分が存在し、装用時足裏と接することとなる本体上面が平坦であり、本体下面は、周縁部分が厚く形成され中央部分には凹部が設けられていることにより、靴に装填した状態で、本体と靴下面との間に空洞部が形成されるもの。歩行動作時には、この空洞部がつぶれる形で変形・復元され、その復元力が歩行動作をサポートすることになる。 【選択図】    図１
2015116428.tif 000002
【特許請求の範囲】
【請求項１】
中敷きタイプのシリコーンラバー製足底板であって、周囲に厚み部分が存在し、装用時足裏と接することとなる本体上面が平坦であり、本体下面は、周縁部分が厚く形成され中央部分には凹部が設けられていることにより、靴に装填した状態で、本体と靴下面との間に空洞部が形成されるものである点を特徴とする足底板。
【発明の詳細な説明】
【技術分野】
【０００１】
本発明は、足部疾患の保存療法、Ｏ脚・Ｘ脚等に対する装具矯正療法、或いは美容を目的とする補高、スポーツ時の膝・足等への障害発生の予防、等々に用いられる足底板の構造に関するものである。
【背景技術】
【０００２】
従来こうした足底板は、靴やスリッパに中敷きとして挿入するタイプ（本発明はこれに該当）のものと、患者の足の裏にあてがって固定する（足底板共々靴下を装着する場合も含む）タイプのものとが提供されている。また材質に関しては、ステンレス・アルミニウム等の金属、硬質プラスチック、皮革、コルク、ゴム状プラスチック、或いはこれらを皮革や布で覆ったもの、皮革や布を貼着したもの、等々がある。
【０００３】
また従来の足底板の表面（足底と接触する面）の形状は、平板のものであるか、足底形状に沿った凹凸が設けられているかのいずれかである。そして足底板の底面は、全て平坦、若しくは靴底面の表面形状に添うものであった。換言すると、従来の足底板というものは靴中敷きタイプのものに関して述べれば、靴底を病症に合った形状に嵩上げする部材であったと言える。
【先行技術文献】
【特許文献】
【０００４】
【特許文献１】特開平９−０９８９９８号公報
【発明の概要】
【発明が解決しようとする課題】
【０００５】
従来の足底板はこのような構造・材質であったので、保存療法にあってはその治療効果、装具矯正療法にあってはその矯正効果、等々は、基本的には足底板に体重を掛けた状態でしか期待できないものであった。
【０００６】
靴の中敷きとして使用するタイプの足底板の場合であると、装用者の足裏を押圧刺激するのは、直立時・歩行時に体重が掛かる側の足だけである。日常生活は、直立・歩行以外に、寝ている姿勢、腰掛けている姿勢があるが、その時（遊脚時）に足底板は本来の機能を全く発揮しない。
【０００７】
そうしたことから本業界では潜在的に、装用さえしていれば常時多少なりとも足底に刺激を与え続けるという足底板の出現が待たれていた。
【課題を解決するための手段】
【０００８】
以上のような現状に鑑み本発明者は長年鋭意研究の結果遂に本発明を成したものであり、その特徴とするところは、靴中敷きタイプのシリコーンラバー製足底板であって、周囲に厚み部分が存在し、装用時足裏と接することとなる本体上面が平坦であり、本体下面は、周縁部分が厚く形成され中央部分には凹部が設けられていることにより、靴に装填した状態で、本体と靴下面との間に空洞部が形成されるものである、という点にある。
【０００９】
即ち本発明の足底板は、足底形状に合った窪みに足底を嵌め込むというこれまでの足底板とは異なり、足底と対向する面は自然状態では平面であって、足荷重を受けて変形してゆくものである。従って、荷重が掛かっている時は常に、この変形を復元させようとする力を受けることになる。これは、足底から反発力を受けることを意味し、例えば歩行動作の際には、踵を接地させた時から足底板変形が始まり、踵を上げ始めた時には反発力によって足底は押し上げられることになる。これはあたかも足底板が「トランポリン」のように機能することを意味し、結果、歩行動作をサポートすることとなる。
【００１０】
歩行動作をサポートするための条件として、本発明足底板は靴中敷きタイプのものでなければならない。靴底と足底板本体の間に空洞が存在すること、足荷重を受けるとこの空洞がつぶれる形で足底板のみが変形すること、が前提になって歩行動作のサポートがなされることになる。
【００１１】
即ち、空洞をつぶす形で変形した本体が復元するときに足底に与える力が歩行を助けることになるのであるが、この力の大きさ自体は実は相当小さいものである。これはヒトの歩行動作の成り立ちからも小さな力でなければ円滑な歩行はかなわないと言える。ヒトの歩行動作は、最も高度に自動化された運動であって、細部にわたるまで決定されている一定のパターンが次々と反復・連続したものによって構成されているので、このパターンに外部から介入する場合、パターンが破綻する危険性があるので、控えめであることが必須である。
【００１２】
本発明足底板の材質は、シリコーンラバーである。皮膚との馴染みが良く、発汗による蒸れ、汗との接触によるかぶれ、といった弊害を生じさせにくいことがシリコーンラバー採用の理由である。
【発明の効果】
【００１３】
本発明は、中敷きタイプのシリコーンラバー製足底板であって、周囲に厚み部分が存在し、装用時足裏と接することとなる本体上面が平坦であり、本体下面は、周縁部分が厚く形成され中央部分には凹部が設けられていることにより、靴に装填した状態で、本体と靴下面との間に空洞部が形成されるものである点を特徴とするものであり、以下の如き効果を有する極めて高度な発明である。
【００１４】
（１）  靴或いは足底板に荷重が掛かっていない状態であっても足底を押し上げる方向の力が働いているので、荷重が掛かった状態とそうでない状態を規則的に繰り返す歩行動作にあっては、これをサポートすることになる。
（２）  歩行動作の際に足底を押し上げる力が働くことになるが、そのための動力は不要である。
【図面の簡単な説明】
【００１５】
【図１】（ａ）（ｂ）はいずれも本発明に係る足底板の一例を示す概略斜視図であり、（ａ）はその全体、（ｂ）は一部を切断した状態を示す。
【図２】図１の例の足底板を、靴に装填した状態を示す概略断面図である。
【図３】図２の状態で更に、足を入れ体重を掛けたところを示す概略断面図である。
【図４】本発明に係る足底板の一例を示す概略側面図である。
【発明を実施するための形態】
【実施例１】
【００１６】
図１（ａ）（ｂ）は、本発明に係る足底板１（以下「本発明足底板１」という）の一例を概略的に示すものであり、同図（ａ）はその全体、同図（ｂ）は一部を切断した状態を描出している。図より明らかなように本発明足底板１は、上面Ａが平坦な装具である。材質はシリコーンラバーであり、表裏を貫通する多数の透孔１１が設けられている。
また本発明足底板１の全体形状は、この上面Ａが広く下方は狭くなっている（即ち上面Ａと側面Ｃのなす角度θは鋭角である：但し側面Ｃは必ずしも平坦ではなく湾曲していることもあるので鋭角という表現は厳密なものではない）。そして下面Ｂは周壁部分を除く部分に窪みが形成されている。
【００１７】
図２は、図１で示した本発明足底板１を靴Ｓに装填した状態を概略的に示すものである。下面Ｂに窪みが形成されているが、図の状態（即ち足を入れていない状態）では、靴底面とかの窪みによって形成される空洞部２は変形していない。
【００１８】
次に図３は、図２の状態で更に足Ｆを入れ、体重を掛けたところを示すものである。この荷重によって本発明足底板１は変形する。変形は、空洞部２をつぶすようになされる。その結果、平坦だった上面Ａは足底形状に合致するような変形を来たし、上面Ａの長さ（幅長）が短くなる。また大きく傾いていた側面Ｃは、鉛直に近づくことになる。無荷重状態で本発明足底板１の全体形状は上面Ａが広くなっているが、変形の結果、図３の状態では従来の足底板の形状に近似する形状となると理解しても良い。
【００１９】
なお図２及び図３では本発明足底板１の変形を、足幅方向に関して説明してきたが、本発明足底板１の裏面は足の幅方向だけではなく、足の長さ方向に関しても凹湾している。この足の長さ方向の凹湾も、体重が掛かった状態でつぶれるように変形し、同等の機能効果を発揮する。図４は、足の長さ方向についても裏面が凹湾していることを示す概略側面図である。
【００２０】
なお本発明足底板１の変形は、靴Ｓを由来とする圧力によってもたらされる可能性がある。例えばサイズの小さい靴であれば常時変形されることとなるであろうし、靴紐（又はそれに代わるもの）を締め付けることによってもそうである。これらは本発明にとっては好ましくない状況であるので、適切な靴が選択されるべきである。但し本発明は、足底板の構造についての提案であるので、適用される靴に関しては何ら限定しない。
【符号の説明】
【００２１】
１      本発明に係る足底板
１１    透孔
２      空洞部
Ａ      上面
Ｂ      下面
Ｃ      側面
Ｓ      靴
Ｆ      足
【図１】
2015116428.tif 000003
【図２】
2015116428.tif 000004
【図３】
2015116428.tif 000005
【図４】
2015116428.tif 000006